(57)【特許請求の範囲】
【請求項１】
記録媒体に記録された映像ストリームの示す全体映像から、特定の映像を抽出して再生する映像編集装置であって、
前記映像ストリームは、主要場面を示す第１映像と、主要場面の演出効果をたかめるための複数種類の第２映像を含み、
前記記録媒体には、
第１映像を特定する第１映像特定情報として、第１映像の記録位置を記録時間で示す時間情報と第１映像の主要場面に関連する場面の状況を示す状況情報とが記録され、
各種類の第２映像を特定する第２映像特定情報として、第２映像の記録位置を記録時間で示す時間情報と、第２映像の種類に関する識別情報とが記録され、
さらに、第１映像に関する状況情報と第２映像の種類に関する識別情報との対応関係を示す選択テーブルが記録され、
前記映像編集装置は、
前記記録媒体から第１映像特定情報を取得する取得手段と、
取得された第１映像特定情報の状況情報に対応付けられている第２映像の種類に関する識別情報を前記選択テーブルから選択する選択手段と、
前記記録媒体から、選択された前記識別情報の示す種類に該当する第２映像特定情報であって、時間情報の示す記録時間が、第１映像特定情報の示す記録時間の近傍の記録時間に該当する第２映像特定情報を抽出する抽出手段と
を備えることを特徴とする映像編集装置。
【請求項２】
前記記録媒体には、前記第１映像と複数種類の前記第２映像の再生順序を示すテンプレート情報を前記第１映像特定情報と対応付けて記録し、
前記映像編集装置はさらに、第１映像特定情報と抽出された第２映像特定情報とに基づいて、前記映像ストリームから、第１映像と第２映像を抽出し、抽出した前記第１映像と前記第２映像を、前記第１映像特定情報に対応するテンプレート情報の示す再生順序に従って再生する再生処理を行う再生手段
を備えることを特徴とする請求項１記載の映像編集装置。
【請求項３】
前記映像ストリームは、複数の第１映像を含み、
前記記録媒体には、複数の第１映像特定情報と、各第１映像特定情報に対応するテンプレート情報とが記録され、
前記取得手段は、前記記録媒体から前記各第１映像特定情報を取得し、
前記第１映像特定情報が取得される毎に、
前記選択手段は、取得された第１映像特定情報の状況情報に対応付けられている第２映像の種類に関する識別情報を前記選択テーブルから選択し、
前記抽出手段は、前記記録媒体から、選択された前記識別情報の示す種類に該当する第２映像特定情報であって、時間情報の示す記録時間が、取得された第１映像特定情報の示す記録時間の近傍の記録時間に該当する第２映像特定情報を抽出し、
前記再生手段は、
取得された第１映像特定情報の時間情報と、抽出された第２映像特定情報の時間情報と、取得された第１映像特定情報に対応するテンプレート情報とを含む部分インデックス情報を生成する生成手段と、
生成された各部分インデックス情報を記憶する記憶手段と、
ユーザ指示に応じて各部分インデックス情報を前記記憶手段から読出し、読出した各部分インデックス情報に基づいて、前記映像ストリームから第１映像と第２映像を抽出して前記再生処理を行うストリーム再生手段と
を有することを特徴とする請求項２記載の映像編集装置。
【請求項４】
前記状況情報の示す状況は、主要場面の直前の場面の状況である
ことを特徴とする請求項１に記載の映像編集装置。
【請求項５】
前記状況情報の示す状況は、主要場面に基づく結果を示す場面の状況である
ことを特徴とする請求項１に記載の映像編集装置。
【請求項６】
前記記録媒体には、複数種類の前記映像ストリームが記録され、前記各映像ストリームには、当該前記映像ストリームを識別するストリーム識別情報が付与され、
前記第１映像特定情報は、第１映像の記録されている前記映像ストリームのストリーム識別情報を含み、
各種類の前記第２映像特定情報は、第２映像の記録されている前記映像ストリームのストリーム識別情報を含み、
前記再生手段は、前記第１映像特定情報に含まれるストリーム識別情報を有する前記映像ストリームから第１映像を抽出し、抽出された前記第２映像特定情報に含まれるストリーム識別情報を有する前記映像ストリームから第２映像を抽出する
ことを特徴とする請求項２記載の映像編集装置。
【請求項７】
記録媒体に記録された映像ストリームの示す全体映像から、特定の映像を抽出して再生する映像編集装置であって、
前記映像ストリームは、主要場面を示す第１映像と、主要場面の演出効果をたかめるための複数種類の第２映像を含み、
前記記録媒体には、
第１映像を特定する第１映像特定情報として、第１映像の記録位置を記録時間で示す時間情報と第１映像の重要度を示す重要度情報が記録され、
各種類の第２映像を特定する第２映像特定情報として、第２映像の記録位置を記録時間で示す時間情報と第２映像の種類に関する識別情報とが記録され、
さらに、第１映像に関する重要度情報と第２映像の種類に関する識別情報との対応関係を示す選択テーブルが記録され、
前記映像編集装置は、
前記記録媒体から第１映像特定情報を取得する取得手段と、
取得された第１映像特定情報の重要度情報に対応付けられている第２映像の種類に関する識別情報を前記選択テーブルから選択する選択手段と、
前記記録媒体から、選択された前記識別情報の示す種類に該当する第２映像特定情報であって、時間情報の示す記録時間が、第１映像特定情報の示す記録時間の近傍の記録時間に該当する第２映像特定情報を抽出する抽出手段と
を備えることを特徴とする映像編集装置。
【請求項８】
記録媒体に記録された映像ストリームの示す全体映像から、特定の映像を抽出して再生する映像編集方法であって、
前記映像ストリームは、主要場面を示す第１映像と、主要場面の演出効果をたかめるための複数種類の第２映像を含み、
前記記録媒体には、
第１映像を特定する第１映像特定情報として、第１映像の記録位置を記録時間で示す時間情報と第１映像の主要場面に関連する場面の状況を示す状況情報が記録され、
各種類の第２映像を特定する第２映像特定情報として、第２映像の記録位置を記録時間で示す時間情報と、第２映像の種類に関する識別情報とが記録され、
さらに、第１映像に関する状況情報と第２映像の種類に関する識別情報との対応関係を示す選択テーブルが記録され、
前記映像編集方法は、
前記記録媒体から第１映像特定情報を取得する取得ステップと、
取得された第１映像特定情報の状況情報に対応付けられている第２映像の種類に関する識別情報を前記選択テーブルから選択する選択ステップと、
前記記録媒体から、選択された前記識別情報の示す種類に該当する第２映像特定情報であって、時間情報の示す記録時間が、第１映像特定情報の示す記録時間の近傍の記録時間に該当する第２映像特定情報を抽出する抽出ステップと
を含むことを特徴とする映像編集方法。
【請求項９】
記録媒体に記録された映像ストリームの示す全体映像から、特定の映像を抽出して再生する映像編集装置に映像編集処理を実行させるプログラムであって、
前記映像ストリームは、主要場面を示す第１映像と、主要場面の演出効果をたかめるための複数種類の第２映像を含み、
前記記録媒体には、
第１映像を特定する第１映像特定情報として、第１映像の記録位置を記録時間で示す時間情報と第１映像の主要場面に関連する場面の状況を示す状況情報が記録され、
各種類の第２映像を特定する第２映像特定情報として、第２映像の記録位置を記録時間で示す時間情報と、第２映像の種類に関する識別情報とが記録され、
さらに、第１映像に関する状況情報と第２映像の種類に関する識別情報との対応関係を示す選択テーブルが記録され、
前記映像編集処理は、
前記記録媒体から第１映像特定情報を取得する取得ステップと、
取得された第１映像特定情報の状況情報に対応付けられている第２映像の種類に関する識別情報を前記選択テーブルから選択する選択ステップと、
前記記録媒体から、選択された前記識別情報の示す種類に該当する第２映像特定情報であって、時間情報の示す記録時間が、第１映像特定情報の示す記録時間の近傍の記録時間に該当する第２映像特定情報を抽出する抽出ステップと
を含むことを特徴とするプログラム。
【請求項１０】
記録媒体に記録された映像ストリームの示す全体映像から、特定の映像を抽出して再生する映像編集装置に映像編集処理を実行させるプログラムを記録したコンピュータ読取可能な記録媒体であって、
前記映像ストリームは、主要場面を示す第１映像と、主要場面の演出効果をたかめるための複数種類の第２映像を含み、
前記記録媒体には、
第１映像を特定する第１映像特定情報として、第１映像の記録位置を記録時間で示す時間情報と第１映像の主要場面に関連する場面の状況を示す状況情報が記録され、
各種類の第２映像を特定する第２映像特定情報として、第２映像の記録位置を記録時間で示す時間情報と、第２映像の種類に関する識別情報とが記録され、
さらに、第１映像に関する状況情報と第２映像の種類に関する識別情報との対応関係を示す選択テーブルが記録され、
前記映像編集処理は、
前記記録媒体から第１映像特定情報を取得する取得ステップと、
取得された第１映像特定情報の状況情報に対応付けられている第２映像の種類に関する識別情報を前記選択テーブルから選択する選択ステップと、
前記記録媒体から、選択された前記識別情報の示す種類に該当する第２映像特定情報であって、時間情報の示す記録時間が、第１映像特定情報の示す記録時間の近傍の記録時間に該当する第２映像特定情報を抽出する抽出ステップと
を含むことを特徴とする記録媒体。
【発明の詳細な説明】
【技術分野】
【０００１】
本発明は、記録した映像を編集する技術に関し、特に記録した映像の映像ストリームから特定の一部を抽出することにより、当該映像を要約したダイジェスト映像を作成するための技術に関する。
【背景技術】
【０００２】
記録した映像ストリームから、ダイジェスト映像を作成する技術としては、特許文献１に、当該映像ストリームに含まれるシーンの内、ユーザの定めた重要度の基準に応じてダイジェスト映像に含めるシーンを特定し、特定したシーンを含む所定範囲の映像ストリームを記録した映像ストリームから抽出してダイジェスト映像を作成する技術が開示されている。
【０００３】
これにより、ユーザは、記録した映像ストリームの全てを再生することなく、重要部分だけを短時間で視聴することができる。
又、特許文献２には、記録した映像ストリームからの抽出箇所を特定するテンプレートを、当該映像ストリームに含まれるシーン毎に予め設定しておくことにより、ユーザが所望のテンプレートを選択することにより、当該テンプレートによって特定される映像ストリームにより、ダイジェスト映像を作成する技術が開示されている。
【０００４】
これにより、ユーザは、所望のテンプレートを選択することにより、見たい場面を短時間で視聴することができる。
【特許文献１】特開2000-261754号公報
【特許文献２】特開2002-142188号公報
【発明の開示】
【発明が解決しようとする課題】
【０００５】
しかしながら、上記従来技術においては、シーン毎に再生される映像ストリームの範囲及び再生順序が固定されているので、記録した映像ストリームの中に同じ種類のシーンが複数回現れるような場合、各シーンの再生は固定された手順で行われるため、視聴者に再生されるダイジェスト映像が単調で、変化に乏しく、物足りない印象を与えてしまうという問題が生じる。
【０００６】
例えば、野球の試合におけるホームランシーンのダイジェスト映像の場合、ソロホームランのシーンも逆転ホームランのシーンも満塁ホームランのシーンも全て同じように再生されてしまい、視聴者にとって興味をひくような、変化に富んだダイジェスト映像を作成することができないという問題が生じる。
本発明は、上記問題に鑑み、シーンが現れる状況に応じて、演出効果の異なるダイジェスト映像を作成させる映像編集装置及び方法を提供することを目的とする。
【課題を解決するための手段】
【０００７】
上記課題を解決するために、本発明は、記録媒体に記録された映像ストリームの示す全体映像から、特定の映像を抽出して再生する映像編集装置であって、
前記映像ストリームは、主要場面を示す第１映像と、主要場面の演出効果をたかめるための複数種類の第２映像を含み、前記記録媒体には、第１の映像を特定する第１映像特定情報として、第１映像の記録位置を記録時間で示す時間情報と第１映像の主要場面に関連する場面の状況を示す状況情報が記録され、各種類の第２の映像を特定する第２映像特定情報として、第２映像の記録位置を記録時間で示す時間情報と第２映像の種類を識別する情報が記録され、さらに、第１映像に関する状況情報と第２映像の種類に関する識別情報との対応関係を示す選択テーブルが記録され、前記映像編集装置は、前記記録媒体から第１映像特定情報を取得する取得手段と、取得された第１映像特定情報の状況情報に対応付けられている第２映像の種類に関する識別情報を前記選択テーブルから選択する選択手段と、前記記録媒体から、選択された前記識別情報の示す種類に該当する第２映像特定情報であって、時間情報の示す記録時間が、第１映像特定情報の示す記録時間の近傍の記録時間に該当する第２映像特定情報を抽出する抽出手段とを備える。
【０００８】
記録媒体に記録された映像ストリームの示す全体映像から、特定の映像を抽出して再生する映像編集方法であって、前記映像ストリームは、主要場面を示す第１映像と、主要場面の演出効果をたかめるための複数種類の第２映像を含み、前記記録媒体には、第１の映像を特定する第１映像特定情報として、第１映像の記録位置を記録時間で示す時間情報と第１映像の主要場面に関連する場面の状況を示す状況情報が記録され、各種類の第２の映像を特定する第２映像特定情報として、第２映像の記録位置を記録時間で示す時間情報と第２映像の種類を識別する情報が記録され、さらに、第１映像に関する状況情報と第２映像の種類に関する識別情報との対応関係を示す選択テーブルが記録され、前記映像編集方法は、前記記録媒体から第１映像特定情報を取得する取得ステップと、取得された第１映像特定情報の状況情報に対応付けられている第２映像の種類に関する識別情報を前記選択テーブルから選択する選択ステップと、前記記録媒体から、選択された前記識別情報の示す種類に該当する第２映像特定情報であって、時間情報の示す記録時間が、第１映像特定情報の示す記録時間の近傍の記録時間に該当する第２映像特定情報を抽出する抽出ステップとを含むこととしてもよい。
【０００９】
記録媒体に記録された映像ストリームの示す全体映像から、特定の映像を抽出して再生する映像編集装置に映像編集処理を実行させるプログラムであって、
前記映像ストリームは、主要場面を示す第１映像と、主要場面の演出効果をたかめるための複数種類の第２映像を含み、前記記録媒体には、第１の映像を特定する第１映像特定情報として、第１映像の記録位置を記録時間で示す時間情報と第１映像の主要場面に関連する場面の状況を示す状況情報が記録され、各種類の第２の映像を特定する第２映像特定情報として、第２映像の記録位置を記録時間で示す時間情報と第２映像の種類を識別する情報が記録され、さらに、第１映像に関する状況情報と第２映像の種類に関する識別情報との対応関係を示す選択テーブルが記録され、前記映像編集処理は、前記記録媒体から第１映像特定情報を取得する取得ステップと、取得された第１映像特定情報の状況情報に対応付けられている第２映像の種類に関する識別情報を前記選択テーブルから選択する選択ステップと、前記記録媒体から、選択された前記識別情報の示す種類に該当する第２映像特定情報であって、時間情報の示す記録時間が、第１映像特定情報の示す記録時間の近傍の記録時間に該当する第２映像特定情報を抽出する抽出ステップとを含むこととしてもよい。
【００１０】
記録媒体に記録された映像ストリームの示す全体映像から、特定の映像を抽出して再生する映像編集装置に映像編集処理を実行させるプログラムを記録したコンピュータ読取可能な記録媒体であって、前記映像ストリームは、主要場面を示す第１映像と、主要場面の演出効果をたかめるための複数種類の第２映像を含み、前記記録媒体には、第１の映像を特定する第１映像特定情報として、第１映像の記録位置を記録時間で示す時間情報と第１映像の主要場面に関連する場面の状況を示す状況情報が記録され、各種類の第２の映像を特定する第２映像特定情報として、第２映像の記録位置を記録時間で示す時間情報と第２映像の種類を識別する情報が記録され、さらに、第１映像に関する状況情報と第２映像の種類に関する識別情報との対応関係を示す選択テーブルが記録され、前記映像編集処理は、前記記録媒体から第１映像特定情報を取得する取得ステップと、取得された第１映像特定情報の状況情報に対応付けられている第２映像の種類に関する識別情報を前記選択テーブルから選択する選択ステップと、前記記録媒体から、選択された前記識別情報の示す種類に該当する第２映像特定情報であって、時間情報の示す記録時間が、第１映像特定情報の示す記録時間の近傍の記録時間に該当する第２映像特定情報を抽出する抽出ステップとを含むこととしてもよい。
【発明の効果】
【００１１】
上記構成を備えることにより、第１映像特定情報の状況情報に基づいて、主要場面の映像とともに再生される、関連する演出効果場面の映像を特定する第２映像特定情報が選択されるので、ユーザは、第１映像特定情報と選択された第２映像特定情報とに基づいて、主要場面の映像と、演出効果場面の映像とを抽出し、主要場面に関連する場面の状況に応じたダイジェスト映像を楽しむことができる。
【００１２】
ここで、前記記録媒体には、前記第１映像と複数種類の前記第２映像の再生順序を示すテンプレート情報を前記第１映像特定情報と対応付けて記録し、
前記映像編集装置はさらに、第１映像特定情報と抽出された第２映像特定情報とに基づいて、前記映像ストリームから、第１映像と第２映像を抽出し、抽出した前記第１映像と前記第２映像を、前記第１映像特定情報に対応するテンプレート情報の示す再生順序に従って再生する再生処理を行う再生手段
を備えることとしてもよい。
【００１３】
これにより、主要場面の映像と関連する演出効果場面の再生順序を設定しておくことができるので、主要場面の映像と、主要場面を効果的に盛り上げる演出効果場面の映像を、演出効果を最大限に高めるような効果的な再生順序で再生させることができる。
ここで、前記映像ストリームは、複数の第１映像を含み、前記記録媒体には、複数の第１映像特定情報と、各第１特定情報に対応するテンプレート情報とが記録され、前記取得手段は、前記記録媒体から前記各第１映像特定情報を取得し、前記第１映像特定情報が取得される毎に、前記選択手段は、取得された第１映像特定情報の状況情報に対応付けられている第２映像の種類に関する識別情報を前記選択テーブルから選択し、前記抽出手段は、前記記録媒体から、選択された前記識別情報の示す種類に該当する第２映像特定情報であって、時間情報の示す記録時間が、取得された第１映像特定情報の示す記録時間の近傍の記録時間に該当する第２映像特定情報を抽出し、前記再生手段は、取得された第１映像特定情報の時間情報と、抽出された第２映像特定情報の時間情報と、取得された第１映像特定情報に対応するテンプレート情報とを含む部分インデックス情報を生成する生成手段と、生成された各部分インデックス情報を記憶する記憶手段と、ユーザ指示に応じて各部分インデックス情報を前記記憶手段から読出し、読出した各部分インデックス情報基づいて、前記映像ストリームから第１映像と第２映像を抽出して前記再生処理を行うストリーム再生手段と
を有することの構成とすることができる。
【００１４】
これにより、第１映像特定情報毎に、演出効果場面の映像を特定する第２映像特定情報の選択が行われるので、ユーザは、複数の同じ種類の主要場面の映像のダイジェスト映像の再生を指定した場合においても、主要場面毎に、主要場面の映像とともに再生される演出効果場面の映像の種類が変化するので、単調さを感じることなく、ダイジェスト映像の視聴を楽しむ事ができる。
【００１５】
ここで、前記状況情報の示す状況は、主要場面の直前の場面の状況であることとしてもよい。
これにより、主要場面の直前の場面の状況に応じて、主要場面の映像とともに再生する演出効果場面の映像の種類を選択することができるので、例えば、野球中継におけるヒットの場面を主要場面としてダイジェスト映像を再生する場合において、ヒットの直前にランナーがいる場合には、ランナーの様子を示す場面の映像をヒットの場面の映像とともに再生させ、いない場合には、ヒットの場面の映像のみを再生させるというように、直前のシーンの状況に応じて、視聴者の興味をひくように、ダイジェスト映像を効果的に編成して再生することができる。
【００１６】
ここで、前記状況情報の示す状況は、主要場面に基づく結果を示す場面の状況であることとしてもよい。
これにより、主要場面に基づく結果の場面の状況に応じて演出効果高めることができる。例えば、野球中継における主要場面が満塁ホームランの場合と、ランナーがいないソロホームランの場合とで、同じホームランの場面に関するダイジェスト映像であっても、満塁ホームランの場合には、ソロホームランの場合より多くの演出効果場面の映像（例えば、ベンチでの選手の祝福の様子を示す場面や、観客の歓喜する様子を示す場面やリプレイーの場面の映像）を再生させて、演出効果を高めることができる。
【００１７】
ここで、前記記録媒体には、複数種類の前記映像ストリームが記録され、前記各映像ストリームには、当該前記映像ストリームを識別するストリーム識別情報が付与され、前記第１映像特定情報は、第１映像の記録されている前記映像ストリームのストリーム識別情報を含み、各種類の前記第２映像特定情報は、第２映像の記録されている前記映像ストリームのストリーム識別情報を含み、
前記再生手段は、前記第１映像特定情報に含まれるストリーム識別情報を有する前記映像ストリームから第１映像を抽出し、抽出された前記第２映像特定情報に含まれるストリーム識別情報を有する前記映像ストリームから第２映像を抽出することとしてもよい。
【００１８】
これにより、複数の映像ストリームから主要場面の映像とともに再生する演出効果の場面の映像が選択されるので、ユーザは、複数のカメラで多面的に撮影された主要場面の演出効果の場面の映像を楽しむことができる。
ここで、記録媒体に記録された映像ストリームの示す全体映像から、特定の映像を抽出して再生する映像編集装置であって、前記映像ストリームは、主要場面を示す第１映像と、主要場面の演出効果をたかめるための複数種類の第２映像を含み、前記記録媒体には、第１の映像を特定する第１映像特定情報として、第１映像の記録位置を記録時間で示す時間情報と第１映像の重要度を示す重要度情報が記録され、各種類の第２の映像を特定する第２映像特定情報として、第２映像の記録位置を記録時間で示す時間情報と第２映像の種類を識別する情報が記録され、さらに、第１映像に関する重要度情報と第２映像の種類に関する識別情報との対応関係を示す選択テーブルが記録され、前記映像編集装置は、前記記録媒体から第１映像特定情報を取得する取得手段と、取得された第１映像特定情報の重要度情報に対応付けられている第２映像の種類に関する識別情報を前記選択テーブルから選択する選択手段と、前記記録媒体から、選択された前記識別情報の示す種類に該当する第２映像特定情報であって、時間情報の示す記録時間が、第１映像特定情報の示す記録時間の近傍の記録時間に該当する第２映像特定情報を抽出する抽出手段とを備えることの構成とすることができる。
【００１９】
これにより、第１映像特定情報の示す主要場面の重要度に応じて、演出効果に変化をもたせることができる。
例えば、野球中継における主要場面が同じタイムリーヒットの場面であっても、逆転のタイムリーヒットとそうでないタイムリーヒットとで重要度に差を設けて、逆転のタイムリーヒットの場合には、主要場面の映像にベンチでの選手の祝福の様子を示す場面の映像や、観客の歓喜する様子を示す場面の映像を主要場面の映像とともに再生させ、その他のタイムリーヒットの場合には、そのような場面の映像の再生を行わないように設定することにより、演出効果に変化を持たせることができる。
【発明を実施するための最良の形態】
【００２０】
＜構成＞
図１は、本発明の実施の形態１における映像編集システム１０の構成を示す機能ブロック図である。
映像編集システム１０は、映像編集装置１００、映像記憶部１０５、テンプレート記憶部１０６、ダイジェスト生成条件入力部１０７とから構成される。
【００２１】
映像編集装置１００と映像記憶部１０５、テンプレート記憶部１０６、ダイジェスト生成条件入力１０７は、それぞれ、電気通信回線（例えば、インターネット、イントラネット、ＬＡＮなど）で接続されている。
又、映像編集装置１００が映像記憶部１０５、テンプレート記憶部１０６、ダイジェスト生成条件入力１０７を自装置に含む構成としてもよい。
（映像記憶部１０５）
放送局で放送番組用に撮影された、フレーム画像の時系列順のストリームである映像ストリームと、複数のイベントメタデータと状況情報とを記憶している。映像ストリームを構成する各映像データは、その記録時刻と対応付けて記録されている。
【００２２】
なお、記憶されている映像ストリームは、複数のカメラによって撮影された複数種類の映像ストリームであってもよく、この場合には、各映像ストリームには、当該映像ストリームを識別するための、カメラ番号が識別子として付与されているものとする。
ここで、「イベントメタデータ」とは、撮影された映像ストリームを、複数の、時系列順に連続する特定数のフレーム画像からなるストリームに分割した場合における、分割した各ストリームの示す映像の表すシーンを分類するための「インデックス」と、当該シーンの記録開始時刻を示す「ＩＮ点」と、「当該シーンの記録終了時刻を示す「ＯＵＴ点」と、当該シーンを撮影したカメラを識別するための「カメラ番号」と、各シーンの集合体における当該シーンの重要性の程度を示す値である「重要度」と、当該シーンの詳細（例えば、登場人物、被写体名など）を記述した「キーワード」と当該シーンに対応するテンプレート（テンプレートについては、後述する。）が存在するか否かを示す「テンプレート情報」との対応関係を示す情報のことをいう。
【００２３】
なお、本実施の形態においては、野球の試合を撮影対象としているので、キーワードを、「行為者」、「被行為者」、「行為者チーム」、「被行為者チーム」に分類している。
ここで、「行為者」とは、野球の試合において、攻撃側の打者を表し、「被行為者」とは、守備側の投手を表し、「行為者チーム」とは、攻撃側のチームを表し、「被行為者」とは、守備側のチームを表す。
【００２４】
イベントメタデータは、インデックスの示すシーンの撮影が完了する毎に映像記憶部１０５に記憶される。
又、「状況情報」とは、各イベントメタデータについて、当該イベントメタデータの示すシーンの直前のシーンの状況と当該イベントメタデータの示すシーンに基づく結果シーンの状況とを記述した情報のことをいう（以下、前者の状況を記述した情報を「チャンス状況情報」と呼び、後者の状況を記述した情報を「結果状況情報」と呼ぶ。）。
【００２５】
状況情報は、例えば、撮影した映像の編集者や撮影者自身又はその助手等によって作成されるものとする。状況情報の作成は、カメラ撮影中に随時作成することとしてもよいし、撮影後の映像編集時に作成することとしてもよい。
図２は、映像記憶部１０５に記憶されている、映像ストリームとイベントメタデータと状況情報の具体例を示す。
【００２６】
図２（ａ）は、映像ストリームの具体例を、図２（ｂ）は、イベントメタデータの具体例を、図２（ｃ）は、状況情報の具体例を示す。
図２（ａ）の６００は、映像ストリームをイメージ的に表したものである。
図２（ｂ）の６０１は、イベントメタデータを示し、６０１１は、インデックスの具体例を、６０１２、６０１３は、ＩＮ点、ＯＵＴ点の具体例を、６０１４は、カメラ番号の具体例を、６０１５は、重要度の具体例を、６０１６〜６０１９は、分類分けされた各キーワード（行為者、被行為者、行為者チーム、被行為者チームの具体例を、６０２０は、テンプレート情報の具体例をそれぞれ表したものである。
【００２７】
又、図２（ｃ）の６０２は、状況情報を示し、６０２１は、イベントメタデータの識別子の具体例を、６０２２は、チャンス状況情報の具体例を、６０２３は、結果状況情報の具体例をそれぞれ表す。
（テンプレート記憶部１０６）
マッチングテーブルとテンプレートと演出効果マッチングテーブルとを記憶している。
【００２８】
ここで、「マッチングテーブル」とは、テンプレートを有するイベントメタデータ（以下、「メインメタデータ」という。）に属するインデックス（以下、「メインインデックス」という。）と当該メインインデックスの属するテンプレートの格納場所との対応関係を示すテーブルのことをいう。
又、「テンプレート」とは、ダイジェスト映像の中で、連続的に再生されるべき複数のシーンを分類するための各インデックスのグループ（以下、グループ内の各インデックスの内、メインインデックス以外のインデックスを「演出効果インデックス」と呼ぶこととする。）と、各インデックスによって分類されるシーンの記録時刻情報（ＩＮ点、ＯＵＴ点）の記録欄と当該シーンの再生順序とを含む情報のことをいう。
【００２９】
なお、テンプレートに含まれる記録時刻情報の記録欄には、後述する部分ダイジェストメタデータの生成時にＩＮ点、ＯＵＴ点が記録される。
ここで、「演出効果インデックス」は、撮影された各シーンの内、メインインデックスによって分類される主要シーンに付随するシーンを分類するインデックスであり、主要シーンの直前に係るシーンである背景シーンと、主要シーンの直後に係るシーンである結果シーンとに区分される。
【００３０】
例えば、野球の「ホームラン」や「ヒット」のシーンを主要シーンとすると、背景シーンとしては、主要シーンの直前における、塁上のランナーを示すシーンや、観客の様子を示すシーンや、主要シーンに係った人物の表情を示すシーン等が含まれ、結果シーンとしては、主要シーンの直後における、観客の様子を示すシーンや主要シーンに係った人物の表情を示すシーンや、ベンチの様子を示すシーンや監督の様子を示すシーン等が含まれる。
【００３１】
なお、１つの演出効果インデックスについては、当該演出効果インデックスを含む複数のイベントメタデータが存在し、メインメタデータとともに映像記憶部１０５に記憶されているものとする。図２（ｂ）の１７００は、演出効果インデックスを含むイベントメタデータの具体例を示す。
なお、テンプレートには、後述するテンプレートのインデックスの選択処理によって選択される可能性のある全ての演出効果インデックスとメインインデックスによってそれぞれ分類されるシーンの再生順序が定義され、上記選択処理によって演出効果インデックスが削除された場合には、削除された演出効果インデックスを飛ばして、その次の再生順序の演出効果インデックス又はメインインデックスによって分類されるシーンがつなぎ合わされる。
【００３２】
又、複数のカメラを用いて、各分類に属するシーンの撮影を行うような場合には、テンプレートのＩＮ点、ＯＵＴ点に加えて当該カメラを識別するカメラ番号についての情報がテンプレートに含められる。これにより、映像記憶部１０５に記憶されている複数の映像ストリームを、当該映像ストリームを撮影したカメラのカメラ番号と対応付けておくことにより、複数のカメラで撮影したシーンに関する各映像ストリームを、テンプレートの情報に基づいて映像記憶部１０５から読出し、再生させることができる。
【００３３】
又、「演出効果マッチングテーブル」とは、シーン属性情報と、分類情報と、判定基準識別子と演出効果インデックスと、状況情報判定識別子と、重要度判定識別子との対応関係を示すテーブルのことをいう。
ここで、「シーン属性情報」とは、マッチングテーブルの各演出効果インデックスが、メインインデックスによって識別されるシーンの直前のシーンである背景シーンに関連するか、メインインデックスに関連するシーンである結果シーンに関連するかを示すシーン属性情報のことをいう。
【００３４】
又、「分類情報」とは、シーン属性情報を撮影された対象の属性に基づいて分類分けした情報のことをいう。
又、「判定基準識別子」とは、各演出効果インデックスをテンプレートに追加するか否かの判定を、状況情報判定識別子に従って行うか、重要度判定識別子に従って行うか、両者の判定結果に従って行うかを示す識別子のことをいう。
【００３５】
又、「状況情報判定識別子」とは、各演出効果インデックスについて、当該演出効果インデックスを当該メインインデックスのテンプレートにおいて、選択する演出効果インデックスとするか、選択候補とする演出効果インデックスとするか、当該演出効果インデックスを当該テンプレートにおいて、削除する演出効果インデックスとするか、削除候補とする演出効果インデックスとするかを、メインインデックスの状況情報との関係に応じて判定するための識別子のことをいう。
【００３６】
又、「重要度判定識別子」とは、各演出効果インデックスについて、当該演出効果インデックスを当該メインインデックスのテンプレートにおいて、選択確定した演出効果インデックスとするか、選択候補とする演出効果インデックスとするか、当該演出効果インデックスを当該テンプレートにおいて、削除する演出効果インデックスとするか、削除候補とする演出効果インデックスとするかを、メインメタデータの示すシーンの重要度との関係に応じて判定するための識別子のことをいう。
【００３７】
図３は、マッチングテーブルとテンプレートの具体例を示す。図３の７００は、マッチングテーブルの具体例を示し、図３の７０１は、テンプレートの具体例を示す。７００においては、「メインインデックス」（図３（ａ）では、インデックスで表す。）と当該メインインデックスが属するテンプレートの格納場所を示す「パス」との対応関係が示されている。
【００３８】
又、７０１には、ホームランに関連したシーンを示す各インデックスが再生順序に従って配列され、各インデックスには、当該インデックスの示すシーンの記録開始時刻と記録終了時刻とを示す「ＩＮ点」、「ＯＵＴ点」の記載欄がそれぞれ付加されている。
図４は、演出効果マッチングテーブルの具体例を示す。図４の８０１は、シーン属性情報を示し、８０２は、分類情報を示し、８０３は、判定基準を示し、８０４は、演出効果インデックスを示し、８０５は、状況情報判定識別子を示し、８０６は、重要度判定識別子を示す。
【００３９】
又、図４において、状況情報判定識別子又は重要度判定識別子が「−」に該当する場合には、当該メインインデックスの属するテンプレートにおいて、演出効果インデックスを削除候補対象とすることを示し、メインインデックスに対応付けられている状況情報判定識別子又は重要度判定識別子が「◎」に該当する場合には、対応付けられている演出効果インデックスを当該メインインデックスの属するテンプレートにおいて、選択確定対象とすることを示し、メインインデックスに対応付けられている状況情報又は重要度が「×」に該当する場合には、対応付けられている演出効果インデックスを当該メインインデックスの属するテンプレートにおいて、削除対象とすることを示し、状況情報判定識別子又は重要度判定識別子が「○」に該当する場合には、対応付けられている演出効果インデックスを当該メインインデックスの属するテンプレートにおいて、選択候補対象とすることを示す。
【００４０】
この演出効果マッチングテーブルを用いて、予め定められたテンプレートの演出効果インデックスの内容を、メインインデックスの状況情報、重要度に応じて変更することができる。
（ダイジェスト生成条件入力部１０７）
ダイジェスト映像生成の条件（以下、「生成条件」という。）を全体ダイジェスト生成部１０４に入力する。
【００４１】
ここで、「生成条件」とは、ダイジェスト映像の構成要素となる、メインメタデータの検索条件と、当該検索条件に基づいて検索された各部分ダイジェストの再生順序を指定する並び替え条件とを含む条件のことをいう。
ここで、「部分ダイジェストメタデータ」とは、メインメタデータに対応するテンプレートに含まれる演出効果インデックスから、後述する演出効果インデックス第１及び第２選択処理によって選択された演出効果インデックスとそのＩＮ点、ＯＵＴ点と、当該テンプレートに含まれるメインインデックスとそのＩＮ点、ＯＵＴ点と、メインインデックスと選択された演出効果インデックスによってそれぞれ特定されるシーンの再生順序とを含むデータのことをいう。
【００４２】
検索条件の例としては、例えば、メインメタデータに属するメインインデックスやキーワード、重要度の閾値などの指定が挙げられる。
又、並び替え条件の例としては、例えば、メインメタデータによって特定される部分ダイジェストメタデータの記録時間帯の早い順、重要度の順が挙げられる。
（映像編集装置１００）
イベント抽出部１０１、部分ダイジェスト生成部１０２、部分ダイジェスト記憶部１０３、全体ダイジェスト生成部１０４から構成される。
【００４３】
（イベント抽出部１０１）
映像記憶部１０５に記憶されている各イベントメタデータのテンプレート情報を参照して、テンプレートの有無を判定し、テンプレートを有するメインメタデータを抽出して、さらに、映像記憶部１０５に記憶されている状況情報を参照して、抽出した各メインメタデータに対応付けられている状況情報を抽出し、部分ダイジェスト生成部１０２に出力する。
【００４４】
（部分ダイジェスト記憶部１０３）
部分ダイジェスト生成部１０２によって生成された各部分ダイジェストメタデータと属性データとを記憶している。
ここで、「属性データ」とは、各部分ダイジェストメタデータを構成するインデックスに係るイベントメタデータから抽出された情報に基づいて、部品ダイジェスト生成部１０２によって生成された、部分ダイジェストメタデータ名と当該部分ダイジェストメタデータの格納場所を示す部品パスと、メインインデックスと、当該部分ダイジェストメタデータに係る各シーンのＩＮ点の内、最も早い記録時刻を示すＩＮ点から、各シーンのＯＵＴ点の内、最も遅い記録時刻を示すＯＵＴ点までの記録時刻の範囲を示す記録時間帯と、当該部分ダイジェストメタデータに含まれる各インデックスによって分類されるシーンの再生順序と、当該部分ダイジェストメタデータの重要度と、当該部分ダイジェストメタデータに係る各イベントメタデータについてのキーワードとの対応関係を示す情報のことをいう。
【００４５】
図５は、属性データの具体例を示す。図５の１０００は、属性データを、１００１は、部分ダイジェストメタデータ名を、１００２は、部品パスを、１００３は、メインインデックスを、１００４は、記録時間帯を、１００５は、再生順序を、１００６は、重要度を、１００７は、キーワードをそれぞれ表す。
（全体ダイジェスト生成部１０４）
図６は、全体ダイジェスト生成部１０４の構成を示す機能ブロック図である。
全体ダイジェスト生成部１０４は、部分ダイジェストメタデータ抽出部３０１、部分ダイジェスト並び替え部３０２、ダイジェスト生成部３０３から構成される。
【００４６】
（部分ダイジェストメタデータ抽出部３０１）
ダイジェスト生成条件入力部１０７より入力される生成条件に含まれる検索条件に応じて、部分ダイジェスト記憶部１０３に記憶されている属性データに基づいて、検索条件に合致する各部分ダイジェストメタデータを抽出して部分ダイジェスト並び替え部３０２に出力する。
【００４７】
図７は、属性データに基づいて抽出された部分ダイジェストメタデータの具体例を示す。図７の例では、検索条件としてメインインデックスを「ホームラン」と指定した場合において、図５に示す属性データに基づいて部分ダイジェストメタデータ抽出部３０１によって抽出された「ホームラン」についての部分ダイジェストメタデータの例を示している。
【００４８】
又、キーワードを検索条件として指定した場合には、図５に示す属性データに基づいて指定したキーワード（例えば、「今岡」）を含む部分ダイジェストメタデータ（例えば、「ホームラン」と「三振」の部分ダイジェストメタデータ）が抽出され、重要度の閾値（例えば、重要度の閾値を５とした場合）を検索条件として指定した場合には、図５に示す属性データに基づいて重要度が当該閾値を超える部分ダイジェストメタデータ（例えば、「ホームラン」と「ヒット」と「満塁ホームラン」の部分ダイジェストメタデータ）が抽出される。
【００４９】
（部分ダイジェスト並び替え部３０２）
部分ダイジェストメタデータ抽出部３０１より入力された各部分ダイジェストメタデータを、ダイジェスト生成条件入力部１０７より入力された、生成条件に含まれる並び替え条件の指定する再生順序に従って並び替えてダイジェスト生成部３０３に出力する。
（ダイジェスト生成部３０３）
部分ダイジェスト並び替え部３０２より入力された並び替え後の各部分ダイジェストメタデータに基づいて、各部分ダイジェストメタデータを並び替え後の順序に従って結合させた、部分ダイジェストメタデータ（以下、「全体ダイジェストメタデータ」という。）を生成する。
【００５０】
さらに、並び替え後の順序に従って、全体ダイジェストメタデータに含まれる各部分ダイジェストメタデータによって特定されるメインインデックス及び演出効果インデックスの特定する各シーンを、当該部分ダイジェストメタデータの示す再生順序に従って連続再生することにより、ダイジェスト映像を再生する。
具体的には、部分ダイジェストメタデータの示す再生順序に従って、当該部分ダイジェストメタデータに含まれるインデックスについてのＩＮ点、ＯＵＴ点（カメラ番号が含まれている場合には、さらに、カメラ番号）に基づいて映像記憶部１０５から、対応する映像ストリームを順次抽出し、抽出した映像ストリームの再生を行うことにより、ダイジェスト映像を再生する。
【００５１】
図８〜１０及び図２０は、全体ダイジェストメタデータの具体例を示す。図８は、図５に示す属性データから、「ホームラン」をメインインデックスとする検索をして、並び替え順を「重要度」とした場合において、生成された全体ダイジェストメタデータの具体例を示す。
又、図１８は、図８に示す全体ダイジェストメタデータに基づいて、ダイジェスト生成部３０３がダイジェスト映像を再生する過程の一部をイメージ的に表した図である。具体的には、図１８は、図８の最後の「ホームラン」に対応する部分ダイジェストメタデータに基づいて、ダイジェスト生成部３０３がダイジェスト映像を再生する過程をイメージ的に表している。
【００５２】
図１８の１６０１は、映像記憶部１０５に記録されている野球の撮影映像の映像ストリームを示し、４種類の映像ストリームが複数のカメラによって撮影され、記録されていることを示している。
１６０２は、「ホームラン」の部分ダイジェストメタデータに含まれる各インデックスのＩＮ点、ＯＵＴ点、カメラ番号に基づいて、ダイジェスト生成部３０３が１６０１に示す映像ストリームから抽出した各インデックスに対応する映像ストリームを示す。
【００５３】
１６０３は、ダイジェスト生成部３０３が、抽出した各映像ストリームを、「ホームラン」の部分ダイジェストメタデータの示す再生順序に従って並び替えて作成した映像ストリームを示している。
１６０４は、ダイジェスト生成部３０３が作成した映像ストリームに基づいて再生したダイジェスト映像のイメージを示している。
【００５４】
図９は、図５に示す属性データから、「ＡＢＣ」をキーワードとする検索をして、並び替え順を「記録時間帯の早い順」とした場合において、生成された全体ダイジェストメタデータの具体例を示す。
図１０は、図５に示す属性データから、「今岡」をキーワードとする検索をして、並び替え順を「記録時間帯の早い順」とした場合において、生成された全体ダイジェストメタデータの具体例を示す。
【００５５】
又、図２０は、図５に示す属性データから、重要度の閾値を５とする検索（重要度が「５以上」を示す部分ダイジェストメタデータの検索）をして、並び替え順を「記録時間帯の早い順」とした場合において、生成された全体ダイジェストメタデータの具体例を示す。
（部分ダイジェスト生成部１０２）
図１１は、部品ダイジェスト生成部１０２の構成を示す機能ブロック図である。
【００５６】
部分ダイジェスト生成部１０２は、テンプレートマッチング部２０１、第１演出効果選択部２０２、第２演出効果選択部２０３、演出効果インデックス取得部２０４、イベントメタデータ切り出し部２０５、イベントメタデータ並び替え部２０６、属性データ抽出部２０７、属性データ付与部２０８、部品テンプレート合成部２０９から構成される。
（テンプレートマッチング部２０１）
イベント抽出部１０１より、各メインメタデータと当該メインメタデータのメインインデックスに対応付けられている状況情報が入力されると、テンプレート記憶部１０６に記憶されているマッチングテーブルを参照して、入力されたメインメタデータの示すメインインデックスに対応するテンプレートの格納場所を特定し、当該格納場所からテンプレートを取得し、さらに、テンプレート記憶部１０６から演出効果マッチングテーブルを取得し、入力された各メインメタデータと、状況情報と、取得したテンプレートと、演出効果マッチングテーブルとを第１演出効果選択部２０２に出力する。
【００５７】
（第１演出効果選択部２０２）
以下に示す演出効果インデックス第１選択処理を行う。
テンプレートマッチング部２０１より、各メインメタデータ、各状況情報、各テンプレート、演出効果マッチングテーブルが入力されると、各状況情報と当該状況情報に係る、メインメタデータとテンプレートとの組毎に、演出効果マッチングテーブルの状況情報判定識別子を参照して、演出効果マッチングテーブルに含まれる各演出効果インデックスについて、当該演出効果インデックスを当該テンプレートにおいて、選択する演出効果インデックス（以下、「選択確定インデックス」という。）とするか、当該演出効果インデックスを当該テンプレートにおいて、選択候補とする演出効果インデックス（以下、「選択候補インデックスという。」とするか、当該演出効果インデックスを当該テンプレートにおいて、削除する演出効果インデックス（以下、「削除インデックス」という。）とするか、当該演出効果インデックスを当該テンプレートにおいて、削除候補とする演出効果インデックス（以下、「削除候補インデックス」という。）とするかについての判定処理を行い、各組の判定結果を第２演出効果選択部２０３に通知し、さらに各組のメインメタデータ、テンプレートと演出効果マッチングテーブルとを第２演出効果選択部２０３に出力する。
【００５８】
（第２演出効果選択部２０３）
以下に示す演出効果インデックス第２選択処理を行う。
第１演出効果選択部２０２より、各メインメタデータとテンプレートの組、演出効果マッチングテーブルの入力及び各組についての演出効果インデックス第２選択処理の判定結果の通知があると、メインメタデータの示す重要度と、演出効果マッチングテーブルの重要度判定識別子とを参照して、演出効果マッチングテーブルに含まれる各演出効果インデックスについて、当該演出効果インデックスを選択確定インデックスとするか、当該演出効果インデックスを選択候補インデックスとするか、当該演出効果インデックスを削除候補インデックスとするか、当該演出効果インデックスを削除インデックスとするかについての判定処理を行い、演出効果インデックス第２選択処理における選択確定インデックス、選択候補インデックス、削除候補インデックス、削除確定インデックスを特定し、各メインメタデータに係るテンプレートに対し、以下の各処理（選択決定処理、削除処理）を行い、処理後の各テンプレート（以下、「カレントテンプレート」という。）と各メインメタデータとを演出効果インデックス取得部２０４及びイベントメタデータ並び替え部２０６に、さらに各カレントテンプレートに係るメインメタデータをイベントメタデータ並び替え部２０６に出力する。
１．選択決定処理
演出効果インデックス第２選択処理における判定処理で、選択確定インデックスと判定した各演出効果インデックスと、演出効果インデックス第１選択処理における判定処理で選択確定インデックスと判定した各演出効果インデックスとをテンプレートに含める演出効果インデックスとして決定する。
【００５９】
又、演出効果インデックス第２選択処理における判定処理で、選択候補インデックスと判定した演出効果インデックスが、演出効果インデックス第１選択処理における判定処理でも、選択候補インデックスと判定されている場合には、当該演出効果インデックスについてもテンプレートに含めるインデックスとして決定する。
２．削除処理
演出効果インデックス第２選択処理における判定処理で、削除インデックスと判定した各演出効果インデックスと、演出効果インデックス第１選択処理における判定処理で、削除インデックスと判定された各演出効果インデックスとをテンプレートから削除する。
【００６０】
又、演出効果インデックス第２選択処理における判定処理で、選択候補インデックスと判定した演出効果インデックスが、演出効果インデックス第１選択処理における判定処理で、選択候補インデックスと判定されていない場合には、当該演出効果インデックスについてもテンプレートから削除する。
又、演出効果インデックス第１選択処理における判定処理で、削除候補インデックスと判定された演出効果インデックスについては、演出効果インデックス第２選択処理における判定処理で、選択確定インデックスと判定しなかった場合に、テンプレートから削除し、同様に演出効果インデックス第２選択処理における判定処理で、削除候補インデックスと判定した演出効果インデックスについては、演出効果インデックス第１選択処理における判定処理で、選択確定インデックスと判定されなかった場合に、テンプレートから削除する。
【００６１】
以下、上記演出効果インデックス第１及び第２選択処理について、「ヒット」のテンプレートを具体例としてさらに説明する。
図２１は、テンプレート記憶部１０６に記憶されているマッチングテーブルとヒット用テンプレートの具体例を示す。図２１の２００１は、マッチングテーブルの具体例を示し、２００２は、ヒット用テンプレートの具体例を示す。
【００６２】
イベント抽出部１０１より、図２（ｂ）の１７１０で示す「ヒット」に係るメインメタデータと図２（ｃ）の１７１３で示す当該メインメタデータに係る状況情報とがテンプレートマッチング部２０１に入力され、テンプレートマッチング部２０１により、図２１の２００１に示すマッチングテンプレートが参照されてヒット用テンプレートが各メインメタデータについて取得され、各メインメタデータと当該メインメタデータに係る状況情報と、ヒット用テンプレートが第１演出効果選択部２０２に入力されたと仮定して、上記演出効果インデックス第１及び第２選択処理について説明する。
【００６３】
第１演出効果選択部２０２は、図４に示す演出効果マッチングテーブルに含まれる各演出効果インデックスについて、１７１０で示す「ヒット」のテンプレートに係る状況情報である１７１３で示す「ランナー有り」、「得点に絡む」にそれぞれ対応する状況情報判定識別子を特定し、当該状況情報判定識別子が「◎」を示す、８０１のシーン属性情報が「背景」の「塁上アップ」の演出効果インデックスと、８０１のシーン属性情報が「結果」の「ホームイン」の演出効果インデックスを選択確定インデックスと判定し、当該状況情報判定識別子が「○」を示す、８０１のシーン属性情報が「結果」の「監督アップ（被行為者チーム）」、「監督アップ（行為者チーム）」、「ベンチ（イベント被行為者チーム）」、ベンチ祝福（イベント行為者チーム）」、「スタンド（イベント行為者チーム）」、「別アングルリプレイ」、「スローリプレイ」の各演出効果インデックスを選択候補インデックスと判定し、他の演出効果インデックスについては、その状況情報判定識別子は、「−」を示すので、削除候補インデックスと判定し、判定結果を第２演出効果選択部２０３に通知する。
【００６４】
次に、第２演出効果選択部２０３は、通知された特定結果に基づいて演出効果インデックス第２選択処理を行う。  
第２演出効果選択部２０３は、図４に示す演出効果マッチングテーブルに含まれる各演出効果インデックスについて、１７１０で示す「ヒット」のテンプレートに係るメインメタデータの示す重要度「８」（図２（ｂ）参照）に対応する重要度判定識別子を特定し、当該重要度情報判定識別子が「◎」を示す、８０１のシーン属性情報が「背景」の「選手アップ（イベント被行為者）」、「選手アップ（イベント行為者）」の各演出効果インデックス、８０１のシーン属性情報が「結果」の「選手アップ（イベント被行為者）」、「選手アップ（イベント行為者）」の各演出効果インデックスを選択確定インデックスとそれぞれ判定する。
【００６５】
さらに、第２演出効果選択部２０３は、当該重要度情報判定識別子が「○」を示す、８０１のシーン属性情報が「結果」の「監督アップ（イベント被行為者チーム）」、「監督アップ（イベント行為者チーム）」、「ベンチ（イベント被行為者チーム）」、「ベンチ祝福（イベント行為者チーム）」、「スタンド（イベント行為者チーム）」の各演出効果インデックスを選択候補インデックスと判定する。
【００６６】
さらに、第２演出効果選択部２０３は、当該重要度情報判定識別子が「×」を示す、８０１のシーン属性情報が「背景」の「観客アップ」の演出効果インデックス、８０１のシーン属性情報が「結果」の「別アングルリプレイ」、「スローリプレイ」の各演出効果インデックスをそれぞれ削除インデックスと判定する。
さらに、第２演出効果選択部２０３は、当該重要度情報判定識別子が「−」を示す、８０１のシーン属性情報が「背景」の「塁上アップ」の演出効果インデックス、８０１のシーン属性情報が「結果」の「ホームイン」の演出効果インデックスをそれぞれ削除候補インデックスと判定する。
【００６７】
第２演出効果選択部２０３は、選択確定インデックスと判定した、８０１のシーン属性情報が「背景」の「選手アップ（イベント被行為者）」、「選手アップ（イベント行為者）」の各演出効果インデックス、８０１のシーン属性情報が「結果」の「選手アップ（イベント被行為者）」、「選手アップ（イベント行為者）」の各演出効果インデックスをテンプレートに含める演出効果インデックスとして決定する。
【００６８】
さらに、第２演出効果選択部２０３は、選択候補インデックスと判定した、８０１のシーン属性情報が「結果」の「監督アップ（イベント被行為者チーム）」、「監督アップ（イベント行為者チーム）」、「ベンチ（イベント被行為者チーム）」、「ベンチ祝福（イベント行為者チーム）」、「スタンド（イベント行為者チーム）」の各演出効果インデックスについては、演出効果インデックス第１選択処理における判定処理で、選択候補インデックスと判定されているので、これらの各演出効果インデックスについても、テンプレートに含める演出効果インデックスとして決定する。
【００６９】
一方、第２演出効果選択部２０３は、演出効果インデックス第１選択処理における判定処理で選択候補インデックスと判定された、８０１のシーン属性が「結果」の「別アングルリプレイ」、「スローリプレイ」の各演出効果インデックスについては、演出効果インデックス第２選択処理における判定処理で、削除インデックスと判定しているので、これら各演出効果インデックスをテンプレートから削除する。
【００７０】
又、第２演出効果選択部２０３は、削除候補インデックスと判定した、８０１のシーン属性情報が「背景」の「塁上アップ」と８０１のシーン属性情報が「結果」の「ホームイン」の各演出効果インデックスについては、演出効果インデックス第１選択処理における判定処理で、選択確定インデックスと判定されているので、「塁上アップ」、「ホームイン」の各演出効果インデックスをテンプレートに含める演出効果インデックスとして決定する。  
【００７１】
又、第２演出効果選択部２０３は、削除インデックスと判定した、８０１のシーン属性情報が「背景」の「観客アップ」の演出効果インデックスについては、演出効果インデックス第１選択処理における判定処理で削除候補インデックスと判定されているので、テンプレートから削除する。
上記選択処理後の演出効果インデックスは、イベントメタデータ並び替え部２０６で、カレントテンプレートの示す再生順序に従って並び替えられ、部品テンプレート合成部２０５で、部分ダイジェストメタデータに組み入れられる。
【００７２】
図２２は、１７１０で示す「ヒット」のメインメタデータについて生成された部分ダイジェストメタデータの具体例を示す。
図２３、図２４は、図２（ｂ）の１７１１、１７１２で示す各「ヒット」に係るメインメタデータと図２（ｃ）の１７１４、１７１５で示す当該メインメタデータに係る状況情報とがテンプレートマッチング部２０１に入力され場合に、上記と同様にして演出効果インデックス第１及び第２選択処理が行われて、生成された、１７１１で示す「ヒット」及び１７１２で示す「ヒット」の各メインメタデータについての部分ダイジェストメタデータの具体例を示す。
【００７３】
（演出効果インデックス取得部２０４）
第２演出効果選択部２０３より入力された各カレントテンプレートから演出効果インデックスを抽出し、抽出した各演出効果インデックスと第２演出効果選択部２０３より入力された各メインメタデータとをイベントメタデータ切り出し部２０５に出力する。
（イベントメタデータ切り出し部２０５）
演出効果インデックス取得部２０４より入力された各カレントテンプレートについての演出効果インデックスと当該カレントテンプレートに係るメインメタデータの示すＩＮ点、ＯＵＴ点とに基づいて、映像記憶部１０５に記憶されている当該演出効果インデックスを含むイベントメタデータの中から、メインメタデータの示す、ＩＮ点、ＯＵＴ点によって特定される記録時間帯の近傍の記録時間帯にＩＮ点、ＯＵＴ点をもつイベントメタデータ（以下、「演出イベントメタデータ」という。）を抽出してイベントメタデータ並び替え部２０６に出力する。
【００７４】
ここで、「近傍の記録時間帯」とは、メインメタデータのＩＮ点、ＯＵＴ点によって特定される記録時間帯に含まれるか、又は、当該記録時間帯から所定時間（例えば、数秒から数十秒）の範囲内の記録時間帯のことをいい、予め設定されているものとする。これにより、インデックスが同一の複数のイベントメタデータの中から、メインメタデータに係る演出イベントメタデータを抽出することができる。
【００７５】
（イベントメタデータ並び替え部２０６）
第２演出効果選択部２０３より入力された各カレントテンプレートについてのメインメタデータと、イベントメタデータ切り出し部２０５より入力された各カレントテンプレートについての演出イベントメタデータを、当該カレントテンプレートの示す再生順序に従って並び替え、属性データ抽出部２０７及び部品テンプレート合成部２０９に出力する。
【００７６】
（属性データ抽出部２０７）
イベントメタデータ並び替え部２０６から、各カレントテンプレートについての並び替え後のメインメタデータ及び各演出イベントメタデータとが入力されると、メインメタデータから、メインインデックスと、メインメタデータのＩＮ点、ＯＵＴ点に基づいて決定した記録時間帯と、キーワードとを取得し、さらに、各演出イベントメタデータからキーワードを取得する。
【００７７】
又、メインメタデータ及び各演出イベントメタデータの示す重要度に基づいて、カレントテンプレート毎の重要度を算出する。重要度の算出は、単純に各重要度を合算してもよいし、その平均値であってもよいし、メインメタデータの重要度に重み付けをして算出（例えば、各演出イベントメタデータの重要度の平均値とメインメタデータの重要度を合算して重要度を算出）することとしてもよい。
【００７８】
又、各カレントテンプレートから再生順序を取得し、取得又は算出した上記各種データに基づいて属性データを生成し、属性データ付与部２０８に出力する。
（部分テンプレート合成部２０９）
イベントメタデータ並び替え部２０６から入力された、各カレントテンプレートについての並び替え後のメインメタデータ及び各演出イベントメタデータから、メインインデックス、演出効果インデックス、及びＩＮ点及びＯＵＴ点を抽出し、抽出した各インデックスを並び替え後の順序に並べ、各インデックスに対応するＩＮ点及びＯＵＴ点を付加して部分ダイジェストメタデータを生成して属性データ付与部２０８に出力する。
【００７９】
（属性データ付与部２０８）
部分テンプレート合成部２０９より入力された、各部分ダイジェストメタデータを、属性データ抽出部２０７より入力された属性データと対応付けて部分ダイジェスト記憶部１０３に記録する。
具体的には、各部分ダイジェストメタデータの部分ダイジェスト記憶部１０３における格納場所を示す部品パスを属性データに付加し、当該属性データを部分ダイジェスト記憶部１０３に記録する。  
＜動作＞
（演出効果インデックス第１選択処理）
次に、第１演出効果選択部２０２の行う演出効果インデックス第１選択処理の動作について説明する。図１２及び図１３は、上記動作を示すフローチャートである。
【００８０】
第１演出効果選択部２０２は、テンプレートマッチング部２０１より、各メインメタデータ、各状況情報、各テンプレート、演出効果マッチングテーブルの入力があると（ステップＳ３００１）、各状況情報と当該状況情報に係る、メインメタデータとテンプレートとの組を取得し（ステップＳ３００２）、演出効果マッチングテーブルの状況情報判定識別子を参照し、演出効果マッチングテーブルに含まれる各演出効果インデックスについて、状況情報の示す記述に対応する状況情報判定識別子を特定し（ステップＳ３００３）、当該状況情報判定識別子に従って、当該演出効果インデックスが、選択確定インデックスか（ステップＳ３００４）、選択候補インデックスか（ステップＳ３００５）、削除インデックスか（ステップＳ３００６）を判定する。
【００８１】
ステップＳ３００４において、選択確定インデックスと判定した場合に（ステップＳ３００４：Ｙ）、当該演出効果インデックスの判定結果を選択確定インデックスとして保持し（ステップＳ３００７）、演出効果マッチングテーブルに含まれる全ての演出効果インデックスについて選択処理が終了したか否かを判定し（ステップＳ３０１１）、終了した場合には（ステップＳ３０１１：Ｙ）、保持している各判定結果を第２演出効果選択部２０３に通知し（ステップＳ３０１２）、当該組のメインメタデータとテンプレートを第２演出効果選択部２０３に出力し、さらに全ての組について選択処理が終了したか否かを判定する（ステップＳ３０１３）。
【００８２】
ステップＳ３０１１の判定が否定的である場合（ステップＳ３０１１：Ｎ）、ステップＳ３００３の処理に移行し、ステップＳ３０１３の判定が否定的である場合には（ステップＳ３０１３：Ｎ）、ステップＳ３００２の処理に移行する。
ステップＳ３００５において、選択候補インデックスと判定した場合に（ステップＳ３００５：Ｙ）、当該演出効果インデックスの判定結果を選択候補インデックスとして保持し（ステップＳ３００８）、ステップＳ３０１１の処理に移行する。
【００８３】
ステップＳ３００６において、削除インデックスと判定した場合に（ステップＳ３００６：Ｙ）、当該演出効果インデックスの判定を削除インデックスとして保持し（ステップＳ３００９）、ステップＳ３０１１の処理に移行する。
ステップＳ３００６の判定が否定的である場合（ステップＳ３００６：Ｎ）、当該演出効果インデックスが削除候補インデックスと判定し、当該演出効果インデックスの判定結果を削除候補インデックスとして保持し（ステップＳ３０１０）、ステップＳ３０１１の処理に移行する。
（演出効果インデックス第２選択処理）
次に、第２演出効果選択部２０３の行う演出効果インデックス第２選択処理の動作について説明する。図１４及び図１５は、上記動作を示すフローチャートである。
【００８４】
第２演出効果選択部２０３は、第１演出効果選択部２０２より、メインメタデータとテンプレートの組と演出効果マッチングテーブルの入力及び判定結果の通知を受取ると（ステップＳ４００１）、入力された演出効果マッチングテーブルに含まれる各演出効果インデックスについて、入力されたメインメタデータの示す重要度に対応付けられている重要度判定識別子を特定し（ステップＳ４００２）、当該重要度判定識別子に従って、当該演出効果インデックスが、選択確定インデックスか（ステップＳ４００３）、選択候補インデックスか（ステップＳ４００４）か否かを判定する。
【００８５】
ステップＳ４００３において、選択確定インデックスと判定した場合（ステップＳ４００３：Ｙ）、第２演出効果選択部２０３は、当該演出効果インデックスをテンプレートに含める演出効果インデックスと決定し（Ｓ４００６）、演出効果マッチングテーブルに含まれる全ての演出効果インデックスについて選択処理が終了したか否かを判定し（ステップＳ４０１０）、終了していない場合には（ステップＳ４０１０：Ｎ）、ステップＳ４００２の処理に移行する。
【００８６】
ステップＳ４００４において、選択候補インデックスと判定した場合（ステップＳ４００４：Ｙ）、第２演出効果選択部２０３は、当該演出効果インデックスについて、第１演出効果選択部２０２から通知された判定結果は、選択候補インデックスか否かを判定し（ステップＳ４００７）、選択候補インデックスである場合には（ステップＳ４００７：Ｙ）、ステップＳ４００６の処理に移行し、選択候補インデックスでない場合には（ステップＳ４００７：Ｎ）、当該演出効果インデックスをテンプレートから削除する演出効果インデックスと決定し（ステップＳ４００９）、ステップＳ４０１０の処理に移行する。
【００８７】
ステップＳ４００４の判定結果が否定的である場合（ステップＳ４００４：Ｎ）において、当該演出効果インデックスは、削除インデックスか又は削除候補インデックスであると判定し、当該演出効果インデックスについて、第１演出効果選択部２０２から通知された判定結果は、選択確定インデックスか否かを判定し（ステップＳ４００８）、選択確定インデックスである場合（ステップＳ４００８：Ｙ）、ステップＳ４００６の処理に移行し、選択確定インデックスでない場合（ステップＳ４００８：Ｎ）、ステップＳ４００９の処理に移行する。
【００８８】
第２演出効果選択部２０３は、上記選択処理を、第１演出効果選択部２０２より、メインメタデータとテンプレートの組と演出効果マッチングテーブルの入力及び判定結果の通知を受取る毎に繰り返し、演出効果インデックス第２選択処理後の各カレントテンプレートを演出効果インデックス取得部２０４及びイベントメタデータ並び替え部２０６に、さらに各カレントテンプレートに係るメインメタデータをイベントメタデータ並び替え部２０６に出力する。
（部分ダイジェストメタデータ生成処理）
次に、部分ダイジェスト生成部１０２の行う部分ダイジェストメタデータ生成処理の動作について説明する。図１６は、上記動作を示すフローチャートである。
【００８９】
演出効果インデックス第２選択処理後の各カレントテンプレートと当該カレントテンプレートに係るメインメタデータが入力されると（ステップＳ５００１）、各カレントテンプレートから演出効果インデックスを抽出し（ステップＳ５００２）、映像記憶部１０５から抽出した演出効果インデックスを含む演出イベントメタデータを抽出し（ステップＳ５００３）、各カレントテンプレートについて抽出された演出イベントメタデータと当該カレントテンプレートに係るメインメタデータとを当該カレントテンプレートの示す再生順序に従って並び替え（ステップＳ５００４）、並び替え後のメインメタデータ及び各演出イベントメタデータから、メインインデックス、演出効果インデックス、及びＩＮ点及びＯＵＴ点を抽出し（ステップＳ５００５）、抽出した各インデックスを並び替え後の順序に並べ、各インデックスに対応するＩＮ点及びＯＵＴ点を付加して部分ダイジェストメタデータを生成し（ステップＳ５００６）、さらに、並び替え後のメインメタデータ及び各演出イベントメタデータから、メインインデックスと、メインメタデータの示すＩＮ点、ＯＵＴ点に基づいて算出した記録時間と、キーワードとを取得し、当該カレントテンプレートについての重要度を算出し、当該カレントテンプレートから再生順序を取得して、これらに基づいて属性データを生成し（ステップＳ５００７）、生成した部分ダイジェストメタデータと属性データとを対応付けて部分ダイジェスト記憶部１０３に記録する（ステップＳ５００８）。
（全体ダイジェスト生成処理）
次に、全体ダイジェスト生成部１０４の行う全体ダイジェスト生成処理の動作について説明する。
【００９０】
図１７は、上記動作を示すフローチャートである。
全体ダイジェスト生成部１０４は、ダイジェスト生成条件入力部１０７より生成条件が入力されると（ステップＳ６００１）、部分ダイジェスト記憶部１０３に記憶されている属性データから、生成条件に含まれる検索条件に合致する各部分ダイジェストメタデータを抽出し（ステップＳ６００２）、抽出した各部分ダイジェストメタデータを、生成条件に含まれる並び替え条件の指定する再生順序に従って並び替え（ステップＳ６００３）、並び替え後の各部分ダイジェストメタデータに基づいて、各部分ダイジェストメタデータを、並び替え後の順序に従って結合させて全体ダイジェストメタデータを生成し（ステップＳ６００４）、さらに、並び替え後の順序に従って、全体ダイジェストメタデータに含まれる各部分ダイジェストメタデータの示す再生順序に従って、当該部分ダイジェストメタデータに含まれるインデックスについてのＩＮ点、ＯＵＴ点（カメラ番号が含まれている場合には、さらに、カメラ番号）に基づいて映像記憶部１０５から、対応する映像ストリームを順次抽出し（ステップＳ６００５）、抽出した映像ストリームの再生を行うことにより、ダイジェスト映像を再生する（ステップＳ６００６）。
＜補足＞
以上、本発明に係る映像編集システム１０について、実施の形態に基づいて説明したが、本発明はこれら実施の形態に限られないことは勿論である。
（１）本実施の形態では、メインメタデータに対応付けられている状況情報及び重要度に応じて、メインメタデータに係るテンプレートのインデックスの内容を変更させることとしたが、メインメタデータに係るテンプレートの内容を固定することとしてもよい。  
【００９１】
具体的には、図１１に示す部分ダイジェスト生成部１０２の構成において、部分ダイジェスト生成部１０２の構成を、第１演出効果選択部２０２、第２演出効果選択部２０３を削除した構成とし、テンプレートマッチング部２０１により取得された各メインメタデータに対応付けられているテンプレートを演出効果インデックス取得部２０４に出力し、以後、出力された各テンプレートについて、演出効果インデックス取得部２０４、イベントメタデータ切り出し部２０５、イベントメタデータ並び替え部２０６、属性データ抽出部２０７、属性データ付与部２０８、部品テンプレート合成部２０９において、本実施の形態における場合と同様の処理を行って各メインメタデータについての部分ダイジェストメタデータ、属性データを作成し、部分ダイジェスト記憶部１０３に記録することとしてもよい。
【００９２】
図１９は、上記変形例における、部分ダイジェスト生成部１０２の構成を示す機能ブロック図である。      
（２）本実施の形態においては、演出効果マッチングテーブルは、メインインデックスの属するテンプレートの種類に係らず、１つとしたが、メインインデックスの属するテンプレートの種類毎に異なる演出効果マッチングテーブルを設けることとしてもよいし、メインインデックスの属する特定の複数種類のテンプレート毎に演出効果マッチングテーブルを設けることとしてもよい。
（３）本実施の形態においては、状況情報及びメインメタデータの示す重要度に基づいて、演出効果マッチングテーブルから演出効果インデックスを選択することとしたが、演出効果マッチングテーブルに、ユーザの個人嗜好に基づく判定識別子の欄を設けて、ユーザが判定識別子を入力設定できるようにし、状況情報、重要度に加えて、個人嗜好に基づく判定識別子に基づいて、演出効果インデックスを選択することとしてもよい。例えば、図４の演出効果マッチングテーブルにおいて、各「選手アップ」の判定識別子を「◎」に設定すると、選択後の部分ダイジェストメタデータには、「選手アップ」の演出効果インデックスを含めることができ、再生されるダイジェスト映像において、選手アップのシーンを含めることができる。
（４）本実施の形態においては、映像ストリームとイベントメタデータと状況情報を映像記憶部１０５に、マッチングテーブルとテンプレートと演出効果マッチングテーブルをテンプレート記憶部１０６に、別々に記憶することとしたが、１つの記憶部又は記録媒体に記憶することとしてもよい。
（５）本実施の形態における映像編集システム１０の構成では、映像編集装置１００に部分ダイジェスト生成部１０２、部分ダイジェスト記憶部１０３、全体ダイジェスト生成部１０４を含める構成としたが、例えば、放送局側の映像編集装置として、映像記憶部１０５、イベント抽出部１０１、部分ダイジェスト生成部１０２、部分ダイジェスト記憶部１０３を含む構成とし、放送を受信するユーザ側の放送受信機に全体ダイジェスト生成部１０４とダイジェスト生成条件入力部１０７と放送局から受信した映像ストリームのみ記憶する映像記憶部２０５を含む構成とし、放送局側の映像編集装置とユーザ側の放送受信機とを電気通信回線（例えば、インターネット）で接続する構成としてもよい。
【００９３】
具体的には、ダイジェスト映像の生成条件をダイジェスト生成条件入力部１０７から入力することにより、全体ダイジェスト生成部１０４は、電気通信回線を介して放送局側の映像編集装置に接続し、部分ダイジェスト記憶部１０３から生成条件を満たす各部分ダイジェストメタデータを取得して、取得した各部分ダイジェストメタデータに基づいて、放送受信機に含まれる映像記憶部２０５から対応する各部分映像ストリームを抽出し、ダイジェスト映像を作成することとしてもよい。
【００９４】
これにより、家庭で簡単に受信した放送番組のダイジェスト映像を再生することができる。
（６）本実施の形態に用いる映像ストリーム、リアルタイムの生放送の映像ストリームであっても、予め記録されたビデオ再生用の映像ストリームであってもよい。
又、映像ストリームの内容は、野球に限らず、他のスポーツ放送やカラオケ大会の映像であってもよい。
【００９５】
例えば、カラオケ大会の参加者の歌っているシーンのダイジェスト映像を作成する場合に、カラオケ大会で高得点をあげた人の場合には、歌っている間のシーンに加えて、歌っている人のプロファイルなどの補足説明する映像をダイジェス映像として抽出することとし、得点が低かった人の歌っているシーンの映像は、歌っている間のシーンだけを抽出するというように、野球映像以外の映像ストリームにおいても、本発明を利用して視聴者の興味を引くようなダイジェスト映像を作成することができる。  
（７）本実施の形態の映像編集システム１０は、具体的には、マイクロプロセッサ、ＲＯＭ、ＲＡＭ、ハードディスクユニット、ディスプレィユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、各番組選択支援装置は、その機能を達成する。ここで、コンピュータプログラムは、所定の機能を達成するために、コンピュータに対する指令を示す命令コードが複数個組み合わされて構成されたものである。
（８）本実施の形態の映像編集装置１００において生成される部分ダイジェストメタデータ、全体ダイジェストメタデータのフォーマットは、ＸＭＬ（Extensible Markup Language）であってもよいし、ＲＤＦ（Resource DescriptionFramework）であってもよいし、ＥＤＬ（Edit Decision List）であってもよい。又、上記以外の他のフォーマットであってもよい。  
（９）又、本実施の形態においては、状況情報をメインメタデータと別のデータとしたが、メインメタデータに状況情報が含まれることとしてもよい。
【産業上の利用可能性】
【００９６】
本発明は、記録した映像の映像ストリームから特定の一部を抽出することにより、当該映像を要約したダイジェスト映像を作成するための技術として利用できる。
【図面の簡単な説明】
【００９７】
【図１】図１は、本発明の実施の形態１における映像編集システム１０の構成を示す機能ブロック図である。
【図２】映像記憶部１０５に記憶されている、映像ストリームとイベントメタデータと状況情報の具体例を示す。
【図３】マッチングテーブルとテンプレートの具体例を示す。
【図４】演出効果マッチングテーブルの具体例を示す。
【図５】図５は、属性データの具体例を示す。
【図６】図６は、全体ダイジェスト生成部１０４の構成を示す機能ブロック図である。
【図７】図７は、属性データから抽出された部分ダイジェストメタデータの具体例を示す。
【図８】全体ダイジェストメタデータの具体例を示す。
【図９】全体ダイジェストメタデータの具体例を示す。
【図１０】全体ダイジェストメタデータの具体例を示す。
【図１１】部分ダイジェスト生成部１０２の構成を示す機能ブロック図である。
【図１２】第１演出効果選択部２０２の行う演出効果インデックス第１選択処理の動作を示すフローチャートの一部である。
【図１３】第１演出効果選択部２０２の行う演出効果インデックス第１選択処理の動作を示すフローチャートの一部である。
【図１４】第２演出効果選択部２０３の行う演出効果インデックス第２選択処理の動作を示すフローチャートの一部である。
【図１５】第２演出効果選択部２０３の行う演出効果インデックス第２選択処理の動作を示すフローチャートの一部である。
【図１６】部分ダイジェスト生成部１０２の行う部分ダイジェストメタデータ生成処理の動作を示すフローチャートである。
【図１７】全体ダイジェスト生成部１０４の行う全体ダイジェスト生成処理の動作を示すフローチャートである。
【図１８】図８に示す全体ダイジェストメタデータに基づいて、ダイジェスト生成部３０３がダイジェスト映像を再生する過程の一部をイメージ的に表した図である。
【図１９】変形例における、部分ダイジェスト生成部１０２の構成を示す機能ブロック図である。
【図２０】全体ダイジェストメタデータの具体例を示す。
【図２１】テンプレート記憶部１０６に記憶されているマッチングテーブルとヒット用テンプレートの具体例を示す。
【図２２】図２（ｂ）の１７１０で示す「ヒット」のメインメタデータについて生成された部分ダイジェストメタデータの具体例を示す。
【図２３】図２（ｂ）の１７１１で示す「ヒット」のメインメタデータについて生成された部分ダイジェストメタデータの具体例を示す。
【図２４】図２（ｂ）の１７１２で示す「ヒット」のメインメタデータについて生成された部分ダイジェストメタデータの具体例を示す。
【図１】
0004714149.tif 000002
【図２】
0004714149.tif 000003
【図３】
0004714149.tif 000004
【図４】
0004714149.tif 000005
【図５】
0004714149.tif 000006
【図６】
0004714149.tif 000007
【図７】
0004714149.tif 000008
【図８】
0004714149.tif 000009
【図９】
0004714149.tif 000010
【図１０】
0004714149.tif 000011
【図１１】
0004714149.tif 000012
【図１２】
0004714149.tif 000013
【図１３】
0004714149.tif 000014
【図１４】
0004714149.tif 000015
【図１５】
0004714149.tif 000016
【図１６】
0004714149.tif 000017
【図１７】
0004714149.tif 000018
【図１８】
0004714149.tif 000019
【図１９】
0004714149.tif 000020
【図２０】
0004714149.tif 000021
【図２１】
0004714149.tif 000022
【図２２】
0004714149.tif 000023
【図２３】
0004714149.tif 000024
【図２４】
0004714149.tif 000025